(57)【要約】【課題】遊技盤に内レールを取着する際に同時にアウト球出口金具も取着できるようにし、組立工程を軽減させる。また、遊技盤を廃棄するに際して内レールを取り外すとアウト球出口金具も同時に外れるようにし、分別作業が容易にできるようにする。【解決手段】内レール１０およびアウト球出口金具２０を釘ピン１３ａ〜１３ｈにより遊技盤に取着する構造であって、頭部を内レールに係合した釘ピンの長手方向略中間部に抜止用の鍔部１４が一体に形成され、アウト球出口金具の両側縁寄りには該釘ピン１３ｄ，１３ｅを貫挿し得る非円形状の取付孔２１ａ，２１ｂがそれぞれ開設され、該釘ピンを該取付孔に貫挿した状態で該内レールを遊技盤３０に取着するに際し該内レール１０を取着態勢に湾曲させることで前記鍔部１４が該取付孔２１ａ，２１ｂの周縁部に当接し該釘ピン１３ｄ，１３ｅが該取付孔から抜脱しないようにする。【選択図】図５
2007061168.tif 000002
【特許請求の範囲】
【請求項１】
内レールおよびアウト球出口金具を釘ピンにより遊技盤に取着する構造であって、頭部を内レールに係合した釘ピンの長手方向略中間部に抜止用の鍔部が一体に形成され、アウト球出口金具の両側縁寄りには該釘ピンを貫挿し得る非円形状の取付孔がそれぞれ開設され、該釘ピンを該取付孔に貫挿した状態で該内レールを遊技盤に取着するに際し該内レールを取着態勢に湾曲させることで前記鍔部が該取付孔の周縁部に当接し該釘ピンが該取付孔から抜脱しないようにすることを特徴としたパチンコ機の内レール取着構造。
【請求項２】
内レールとアウト球出口金具とは同種の金属製材料から成形されたものである請求項１に記載したパチンコ機の内レール取着構造。
【発明の詳細な説明】
【技術分野】
【０００１】
本発明は、パチンコ機において、アウト球をアウト球出口に導くために遊技盤上に円弧状に湾曲して取着される内レール、および該アウト球出口に被せられるアウト球出口金具を遊技盤に取着する構造に関するものである。
【背景技術】
【０００２】
パチンコ機の遊技盤上には打球を上部まで誘導するための円弧状に湾曲した外レールが取着されると共に、種々の入賞装置、入賞口等が設けられた遊技領域を囲むように円形状に湾曲した内レールが取着され、該内レールによって導かれたアウト球がその下縁部に形成されたアウト球出口により排出されるように構成している。
そして、この外レールや内レールは、従来から下記特許文献１〜３に示されているように釘ピンにより遊技盤に取着されたものであった。
【０００３】
また、アウト球出口にはその保護のためにアウト球出口金具が釘止めされるが、従来、上記内レールとアウト球出口金具とはそれぞれ別々に釘ピンにより遊技盤に取着されていた。即ち、先にアウト球出口金具を釘ピンにより遊技盤に取着した後、その上面を横切るように内レールを釘ピンにより遊技盤に取着していた。このため組立工程数が多くなりコストが掛かるものであった。
【０００４】
また、下記特許文献４は、内レールとアウト球出口金具とを一体に成形したものであるので、取着工程は簡単になると云えるものの、内レールとアウト球出口金具とを一体に成形するには大きなプレス金型が必要となるので、かえってコストが高くつくおそれがあった。
【特許文献１】特開平１１−３１９２０４号公報
【特許文献２】特開２０００−１４０２３９号公報
【特許文献３】特開２００１−２９３１５８号公報
【特許文献４】特開２００４−２０８９８６号公報
【発明の開示】
【発明が解決しようとする課題】
【０００５】
そこで、それぞれ別体に成形された内レールとアウト球出口金具とを同時に遊技盤に取着することが考えられたが、これらを同時に遊技盤に取着しようとしてアウト球出口金具に釘ピンを貫挿してもこれを遊技盤面に取着するまでの間に釘ピンから該アウト球出口金具が脱落してしまうので、従来構造では同時に取着することが困難であった。
【０００６】
また遊技盤は一般にベニヤ板が用いられ、レールやアウト球出口金具はステンレス鋼板製であるので、使用後の遊技盤を廃棄処分するに際しては、資源再利用のためにレールやアウト球出口金具を遊技盤本体から分別する必要があったが、内レールとアウト球出口金具とが別々に取着されていたものでは、その取り外しにも手間が掛かり作業性が悪い欠点があった。
【０００７】
本発明は、このような問題点を解決し、内レールとアウト球出口金具とを同時に遊技盤に取着、取り外しできるようにするものである。
【課題を解決するための手段】
【０００８】
そのために本発明に係るパチンコ機の内レール取着構造は、内レールおよびアウト球出口金具を釘ピンにより遊技盤に取着する構造であって、頭部を内レールに係合した釘ピンの長手方向略中間部に抜止用の鍔部が一体に形成され、アウト球出口金具の両側縁寄りには該釘ピンを貫挿し得る非円形状の取付孔がそれぞれ開設され、該釘ピンを該取付孔に貫挿した状態で該内レールを遊技盤に取着するに際し該内レールを取着態勢に湾曲させることで前記鍔部が該取付孔の周縁部に当接し該釘ピンが該取付孔から抜脱しないようにすることを特徴とする。
また、本発明は上記内レール取着構造において、内レールとアウト球出口金具とは同種の金属製材料から成形されたものであることを特徴とする。
【発明の効果】
【０００９】
遊技盤に内レールを取着する際にアウト球出口金具を脱落させることなく同時に取着できる。このため必要な組立工程数が減りコストが軽減される。また、内レールを取り外す際にアウト球出口金具も同時に外れるので、廃棄時の材料分別作業も容易になる。
【発明を実施するための最良の形態】
【００１０】
次に本発明の実施の形態を図面と共に説明する。図１は本発明に係る内レール１０とアウト球出口金具２０の斜視図である。内レール１０は可撓弾力性のある帯状ステンレス鋼板の長手方向略中央部をプレス加工することにより球誘導用の傾斜凹部１１を形成すると共に、一側縁に適宜間隔で係合孔１２ａ〜１２ｈを形成し、該各係合孔に釘ピン１３ａ〜１３ｈを貫挿しヘヤピン状に折り曲げることにより、該各釘ピンの頭部を該内レール１０に係合する。該各釘ピンには図２に拡大して示したように長手方向略中間部に鍔部１４が一体に形成され、該鍔部が出っ張ることで該各釘ピンを遊技盤３０に差し込んだとき抜止となるようにしている。なお、内レール１０の傾斜凹部１１を挟む両側対称位置には特に一対の釘ピン１３ｄ，１３ｅを係合している。
【００１１】
アウト球出口金具２０は内レール１０と同じくステンレス鋼板をプレス成形してなるもので、２２は該アウト球出口金具の中央に位置する横長孔状の開口部である。そして該アウト球出口金具２０の両側縁寄りに一対の略長方形状の取付孔２１ａ，２１ｂを開設している。この一対の取付孔２１ａ，２１ｂは図３に正面図を示したように正面から見てハ字状なるように形成される。このため、該取付孔２１ａ，２１ｂに釘ピン１３ｄ，１３ｅを貫挿するに際しては、内レール１０を少し上向きに湾曲させることで両釘ピン１３ｄ，１３ｅの鍔部１４が取付孔２１ａ，２１ｂと同様にハ字状の形態となるようにし、釘ピン１３ｄ，１３ｅの横断面を取付孔２１ａ，２１ｂの略長方形状に合致させ、該釘ピン１３ｄ，１３ｅを取付孔２１ａ，２１ｂに挿通できるようにする。図４はこうして取付孔２１ａ，２１ｂに釘ピン１３ｄ，１３ｅを貫挿した状態を示す。
【００１２】
一方、遊技盤３０には、図５に示されるように、内レール１０を取着するための止孔３１ａ〜３１ｈが円弧状の軌跡３２上に予め形成されている。また、３３は該遊技盤３０の下部にアウト球を後方に排出するために切欠形成されアウト球出口、３４，３５は入賞装置、図柄変動表示装置等の取付用開口である。
【００１３】
そして同図５に示したように、釘ピン１３ｄ，１３ｅを取付孔２１ａ，２１ｂに貫挿した状態で内レール１０を取着態勢に湾曲させる（下向きに湾曲させる）。こうすることにより、該釘ピン１３ｄ，１３ｅがアウト球出口金具２０に対して相対的に微動回転することから、図６に示されるように、該釘ピン１３ｄ，１３ｅの鍔部１４が該取付孔２１ａ，２１ｂの周縁部に当接し該釘ピン１３ｄ，１３ｅが該取付孔２１ａ，２１ｂから抜脱することなく吊り下げられた状態になる。このため、この態勢にて釘ピン１３ａ〜１３ｈの先端を遊技盤３０に予め形成された止孔３１ａ〜３１ｈに臨ませて該内レール１０を圧下することにより、該釘ピン１３ａ〜１３ｈが止孔３１ａ〜３１ｈ中に差し込まれ、内レール１０とアウト球出口金具２０とが同時に取着される。このように、内レール１０を取着態勢に湾曲させることで釘ピン１３ｄ，１３ｅに通したアウト球出口金具２０は抜脱しなくなるので、遊技盤３０に内レール１０とアウト球出口金具２０とを一工程で同時に取着することができる。
【００１４】
なお、図７はこのようにして内レール１０およびアウト球出口金具２０が取着された遊技盤３０を示す。なお図中、４０は打球を誘導するため該内レール１０の外側に取着された外レールである。また、図８はそのＢ−Ｂ線断面図、図９は図８のＣ−Ｃ線断面図であるが、同図に示されるように、この取着状態にて取付孔２１ａ，２１ｂと釘ピン１３ｄ，１３ｅの鍔部１４とは捻れた関係になる。
【００１５】
そこで、遊技盤３０を廃棄しようとする場合に、内レール１０を引っ張り釘ピン１３ａ〜１３ｈを止孔３１ａ〜３１ｈ中から引き抜けば、釘ピン１３ｄ，１３ｅの鍔部１４がアウト球出口金具２０の取付孔２１ａ，２１ｂの周縁部に当接することから該アウト球出口金具２０をも同時に取り外すことができる。このため内レール１０とアウト球出口金具２０とを同種の金属製材料から成形しておけば、これらが遊技盤３０から同時に分別され、資源としての再利用が容易になる。
【００１６】
なお、この実施形態ではアウト球出口金具２０に一対の長方形状の取付孔２１ａ，２１ｂを形成したが、該取付孔の形状は内レール１０を取着態勢に湾曲したとき釘ピン１３ｄ，１３ｅの鍔部１４が当接し得るようにするものであるので、非円形状であればよく、必ずしもこの実施形態のように長方形状に形成しなくてもよく、また、必ずしもハ字状の形態に形成しなくてもよい。
【図面の簡単な説明】
【００１７】
【図１】本発明の実施形態を示すパチンコ機の内レールとアウト球出口金具の斜視図。
【図２】図１の要部の拡大図。
【図３】本発明の実施形態を示すパチンコ機のアウト球出口金具の正面図。
【図４】本発明の実施形態を示すパチンコ機の内レールとアウト球出口金具の要部の拡大斜視図。
【図５】本発明の実施形態を示す内レールとアウト球出口金具を遊技盤に取着する際の斜視図。
【図６】図５のＡ−Ａ線断面図。
【図７】本発明の実施形態を示す遊技盤の正面図。
【図８】図７のＢ−Ｂ線断面図。
【図９】図８のＣ−Ｃ線断面図。
【符号の説明】
【００１８】
１０              内レール
１２ａ〜１２ｈ    係合孔
１３ａ〜１３ｈ    釘ピン
１４              鍔部
２０              アウト球出口金具
２１ａ，２１ｂ    取付孔
３０              遊技盤
【図１】
2007061168.tif 000003
【図２】
2007061168.tif 000004
【図３】
2007061168.tif 000005
【図４】
2007061168.tif 000006
【図５】
2007061168.tif 000007
【図６】
2007061168.tif 000008
【図７】
2007061168.tif 000009
【図８】
2007061168.tif 000010
【図９】
2007061168.tif 000011